(57)【要約】【課題】  ユーザによる年齢入力なしに、ユーザの年齢にあわせた見やすい表示を提示する。【解決手段】  所定の年齢層毎に、表示手段に表示すべき表示内容を決める表示内容情報、又は／及び表示手段における表示内容の表示態様を決める表示制御情報をプリセット記憶しておき、本装置を利用するユーザの年齢層に応じて、前記プリセット記憶された表示内容情報又は／及び表示制御情報の中から、該当する年齢層の表示内容情報又は／及び表示制御情報を決定する。前記年齢層の表示内容情報又は／及び表示制御情報を決定する対象とするユーザの年齢層は、自動的に認識される。このように、ユーザの年齢層を自動認識し、表示手段における表示の制御をユーザの年齢層毎に自動的に行うことから、ユーザは年齢などの入力操作をわざわざ行わなくても、ユーザにとって最も見やすい表示を簡単に得ることができる。【選択図】        図２
2008089750.tif 000002
【特許請求の範囲】
【請求項１】
表示手段と、
曲データを記憶する第１の記憶手段と、
所定の年齢層毎に、前記表示手段に表示すべき表示内容を決める表示内容情報、又は／及び前記表示手段における表示内容の表示態様を決める表示制御情報をプリセット記憶する第２の記憶手段と、
本装置を利用するユーザの年齢層を認識する認識手段と、
前記認識したユーザの年齢層に応じて、前記第２の記憶手段にプリセット記憶された表示内容情報又は／及び表示制御情報の中から、該当する年齢層の表示内容情報又は／及び表示制御情報を決定する決定手段と、
曲データを選択する選択手段と、
前記曲データの選択に基づき、前記第１の記憶手段に記憶されている曲データの中から該当する曲データを取得するデータ取得手段と、
前記決定した表示内容情報に応じて前記取得した曲データに固有の情報のうち該当する情報を、前記決定した表示制御情報に基づく表示態様又は所定の表示態様で表示するよう前記表示手段を制御する制御手段と
を具える楽音再生装置。
【請求項２】
本装置におけるユーザの利用状況を検出する検出手段と、前記検知したユーザの利用状況に応じて、前記第２の記憶手段にプリセット記憶された表示内容情報のうち適用すべき情報を確定する確定手段とを具えてなり、
前記制御手段は、前記確定された表示内容情報に応じた曲データに固有の情報のみを表示するよう前記表示手段を制御することを特徴とする請求項１に記載の楽音再生装置。
【請求項３】
コンピュータに、
曲データを所定の第１の記憶手段に記憶する手順と、
所定の年齢層毎に、所定の表示手段に表示すべき表示内容を決める表示内容情報、又は／及び前記表示手段における表示内容の表示態様を決める表示制御情報を、所定の第２の記憶手段にプリセット記憶する手順と、
本装置を利用するユーザの年齢層を認識する手順と、
前記認識したユーザの年齢層に応じて、前記第２の記憶手段にプリセット記憶された表示内容情報又は／及び表示制御情報の中から、該当する年齢層の表示内容情報又は／及び表示制御情報を決定する手順と、
曲データを選択する手順と、
前記曲データの選択に基づき、前記第１の記憶手段に記憶されている曲データの中から該当する曲データを取得する手順と、
前記決定した表示内容情報に応じて前記取得した曲データに固有の情報のうち該当する情報を、前記決定した表示制御情報に基づく表示態様又は所定の表示態様で表示するよう所定の表示手段を制御する手順と
を実行させるためのプログラム。
【発明の詳細な説明】
【技術分野】
【０００１】
この発明は、曲データに基づいて楽音を再生する楽音再生装置及びプログラムに関する。特に、ユーザにより選択された曲の情報などを表示器に表示する際に、曲選択を行ったユーザの年齢に応じて、表示器に表示する内容やその表示態様を変更する楽音再生装置及びプログラムに関する。
【背景技術】
【０００２】
従来から、ＭＩＤＩデータやオーディオデータなどの曲データに基づき、楽音を再生することができる楽音再生装置及びプログラムが知られている。従来知られた楽音再生装置においては、例えばディスプレイなどの表示器に、予め記憶済みである多数の曲データを一覧表示しておき（これを曲リストと呼ぶ）、ユーザが該表示された曲リストから、楽音再生したい所望の曲データを選択することができるようになっている。そして、ユーザにより曲データの選択がなされると、前記曲リスト表示から、前記選択された曲データにより再生される曲の曲名だけでなく楽譜あるいは歌詞などの当該曲データに固有の情報（曲情報）のみの表示に、ディスプレイの表示を切り替える。この際に、ディスプレイに表示すべき前記曲データの固有情報の多さやディスプレイ上における表示位置や表示領域の大きさ等に応じて、ディスプレイに表示する表示内容や、ディスプレイに表示する際の表示態様を適宜に変更することで、ユーザに対して常に見やすい表示を提示するようにしている。こうしたユーザに対して見やすい表示を提示することができる装置の一例を挙げると、例えば下記に示す特許文献１に記載の装置などがある。
【特許文献１】特開2005−181798号公報
【発明の開示】
【発明が解決しようとする課題】
【０００３】
ところで、一般的に人間は年齢を重ねるにつれて視力が著しく低下する傾向が見られることから、特に高齢者はディスプレイに文字や画像などが小さく表示されてしまうと、若い人に比べてディスプレイの表示が見えにくくなり、ディスプレイに表示されている表示内容をすぐに確認することが難しくなる。しかし、上述したように、特許文献１に記載したような従来の装置においては、単に表示すべき曲データの固有情報の多さやディスプレイ上における表示位置や表示領域の大きさ等に応じて、ディスプレイに表示すべき表示内容やその表示態様を適宜に変更することができるだけであって、ユーザの年齢に応じて、その年齢層のユーザが最も見やすいであろう表示に変更すること、つまりはディスプレイに表示する表示内容や表示態様を適宜に変更することについては特に考慮されていない。また、入力操作が複雑である装置は、それだけで高齢者に敬遠されがちである。そこで、ユーザが特に難しい入力操作を行わなくても、ディスプレイに表示すべき表示内容やその表示態様などを、ユーザの年齢に応じて適宜に変更する装置が望まれていたが、従来そうしたものは考えられていなかった。
【０００４】
本発明は上述の点に鑑みてなされたもので、曲選択を行ったユーザの年齢層に応じて、ディスプレイに表示する選択曲に関しての表示内容や、ディスプレイに選択曲に関する情報を表示する際の表示態様を変更することができるようにした楽音再生装置及びプログラムを提供しようとするものである。
【課題を解決するための手段】
【０００５】
本発明に係る楽音再生装置は、表示手段と、曲データを記憶する第１の記憶手段と、所定の年齢層毎に、前記表示手段に表示すべき表示内容を決める表示内容情報、又は／及び前記表示手段における表示内容の表示態様を決める表示制御情報をプリセット記憶する第２の記憶手段と、本装置を利用するユーザの年齢層を認識する認識手段と、前記認識したユーザの年齢層に応じて、前記第２の記憶手段にプリセット記憶された表示内容情報又は／及び表示制御情報の中から、該当する年齢層の表示内容情報又は／及び表示制御情報を決定する決定手段と、曲データを選択する選択手段と、前記曲データの選択に基づき、前記第１の記憶手段に記憶されている曲データの中から該当する曲データを取得するデータ取得手段と、前記決定した表示内容情報に応じて前記取得した曲データに固有の情報のうち該当する情報を、前記決定した表示制御情報に基づく表示態様又は所定の表示態様で表示するよう前記表示手段を制御する制御手段とを具える。
【０００６】
本発明によると、所定の年齢層毎に、表示手段に表示すべき表示内容を決める表示内容情報、又は／及び表示手段における表示内容の表示態様を決める表示制御情報をプリセット記憶しておき、本装置を利用するユーザの年齢層に応じて、前記プリセット記憶された表示内容情報又は／及び表示制御情報の中から、該当する年齢層の表示内容情報又は／及び表示制御情報を決定する。前記年齢層の表示内容情報又は／及び表示制御情報を決定する対象とするユーザの年齢層は、自動的に認識される。そして、ユーザによる曲データの選択に基づき該当する曲データを取得し、前記決定した表示内容情報に応じて前記取得した曲データに固有の情報のうち該当する情報を、前記決定した表示制御情報に基づく表示態様又は所定の表示態様で表示するよう前記表示手段を制御する。このように、ユーザの年齢層を自動認識し、該認識したユーザの年齢層に基づき決定される表示内容情報又は／及び表示制御情報に従って、表示手段における表示の制御をユーザの年齢層毎に自動的に行うようにしたことから、ユーザは年齢などの入力操作をわざわざ行わなくても、ユーザにとって最も見やすい表示を簡単に得ることができる。
【０００７】
本発明は装置の発明として構成し実施することができるのみならず、方法の発明として構成し実施することができる。また、本発明は、コンピュータまたはＤＳＰ等のプロセッサのプログラムの形態で実施することができるし、そのようなプログラムを記憶した記憶媒体の形態で実施することもできる。
【発明の効果】
【０００８】
この発明によれば、曲選択したユーザの年齢を自動認識し、該認識したユーザの年齢層に応じて決定される表示制御情報に基づき、選択曲に関する表示内容や表示態様などを変更して表示するように表示手段を制御することから、ユーザは年齢などの入力操作を行うことなく、常に年齢に応じた見やすい表示を得ることができるようになる、という効果を得る。
【発明を実施するための最良の形態】
【０００９】
以下、この発明の実施の形態を添付図面に従って詳細に説明する。
【００１０】
図１は、この発明に係る楽音再生装置の全体構成の一実施例を示したハード構成ブロック図である。本実施例に示す楽音再生装置は、マイクロプロセッサユニット（ＣＰＵ）１、リードオンリメモリ（ＲＯＭ）２、ランダムアクセスメモリ（ＲＡＭ）３からなるマイクロコンピュータによって制御される。ＣＰＵ１は、この楽音再生装置全体の動作を制御する。このＣＰＵ１に対して、通信バス１Ｄ（例えばデータ及びアドレスバス）を介してＲＯＭ２、ＲＡＭ３、外部インタフェース（Ｉ／Ｆ）４、入力操作部５、表示部６、外部記憶装置７、音源８がそれぞれ接続されている。ＲＯＭ２は、ＣＰＵ１により実行あるいは参照される各種制御プログラムや各種データ等を格納する。ＲＡＭ３は、ＣＰＵ１が所定の制御プログラムを実行する際に発生する各種データなどを一時的に記憶するワーキングメモリとして、あるいは現在実行中の制御プログラムやそれに関連するデータを一時的に記憶するメモリ等として使用される。ＲＡＭ３の所定のアドレス領域がそれぞれの機能に割り当てられ、レジスタやフラグ、テーブル、メモリなどとして利用される。
【００１１】
外部インタフェース４は当該楽音再生装置と外部機器４Ａなどとの間で制御プログラムやデータなどの各種情報を送受信するための、例えばMIDIインタフェースや通信インタフェースなどである。MIDIインタフェースは、外部機器４Ａ（この場合にはMIDI機器等）から所謂MIDIデータと呼ばれるMIDI形式の曲データを当該楽音再生装置へ入力したり、あるいは当該楽音再生装置からMIDIデータを他のMIDI機器等へ出力するためのインタフェースである。他のMIDI機器はユーザによる操作に応じてMIDIデータを発生する機器であればよく、鍵盤型、ギター型、管楽器型、打楽器型、身振り型等どのようなタイプの操作子を具えた（若しくは、操作形態からなる）機器であってもよい。通信インタフェースは、例えばＬＡＮやインターネット、電話回線等の有線あるいは無線の通信ネットワークに接続されており、該通信ネットワークを介して外部機器４Ａ（この実施例ではパーソナルコンピュータや携帯電話、あるいはマイクやスキャナ等の入力装置）と接続され、通信ネットワークを介して接続された外部機器４Ａで生成された各種プログラムや各種データ等（オーディオ形式の曲データ、氏名や年齢などを含むユーザ個人情報、ユーザの音声情報や顔写真情報など）を、楽音再生装置本体にダウンロードするためのインタフェースである。このような外部インタフェース４としては、有線あるいは無線のものいずれかでなく双方を具えていてよい。なお、上記外部インタフェース４に接続される外部機器４Ａとしては、例えばパーソナルコンピュータ、携帯電話、マイク、スキャナなどの機器がある。
【００１２】
入力操作部５は、予め記憶されている曲データを一覧表示（曲リスト）でディスプレイ６Ａに表示するよう指示するための曲リスト表示スイッチ、ユーザが曲リストの中から楽音再生する対象の曲データを選択するための選択スイッチ、選択した曲の再生開始／終了を指示するための再生スイッチなどの各種操作子である。入力操作部５はこれら以外にも数値データ入力用のテンキーや文字データ入力用のキーボード、あるいはディスプレイ６Ａに表示される所定のポインタを操作するために用いるポインティングデバイス（例えばマウス）などの各種操作子を含んでいてもよい。さらには、楽音の音高を選択するための複数の鍵を備えた鍵盤等の、ユーザの演奏操作に応じて演奏情報を発生することができる演奏操作子を含んでいてもよい。勿論、演奏操作子は鍵盤楽器の形態に限らず、弦楽器や管楽器、あるいは打楽器等どのようなタイプの形態でもよい。
【００１３】
表示部６は例えば液晶表示パネル（ＬＣＤ）やＣＲＴ等から構成されるディスプレイ６Ａに、楽音再生することが可能な曲データの一覧（曲リスト）を表示するのは勿論のこと、ユーザが選択した曲データに固有の情報（例えば、曲名、拍子、テンポ、曲の再生時間長、楽譜、歌詞など）を表示したり、あるいはＣＰＵ１の制御状態などの各種情報を表示するためのものである。ユーザは、ディスプレイ６Ａに表示された曲リスト内の数ある曲データの中から、再生したい曲データを任意に選択して再生させることができる。また、ディスプレイ６Ａに表示されている曲リストに基づき曲データの選択がなされた場合には、前記曲リストの表示から前記選択された曲データの曲名や楽譜などの表示に、ディスプレイ６Ａの表示が自動的に切り替えられる。
【００１４】
外部記憶装置７は、ＣＰＵ１が実行する各種制御プログラム（例えば、後述する図２に示す「選択曲の表示処理」など）や各種データ（例えば曲データ、後述する図３に示す表示態様テーブル、後述する図４に示す表示対象テーブルなど）を記憶する。また、前記ＲＯＭ２に制御プログラムが記憶されていない場合、この外部記憶装置７（例えばハードディスク）に制御プログラムを記憶させておき、それを前記ＲＡＭ３に読み込むことにより、ＲＯＭ２に制御プログラムを記憶している場合と同様の動作をＣＰＵ１に実行させることができる。このようにすると、制御プログラムの追加やバージョンアップ等が容易に行える。なお、外部記憶装置７はハードディスク（HD）に限られず、フレキシブルディスク（FD）、コンパクトディスク（CD）、光磁気ディスク（MO）、あるいはDVD（Digital Versatile Disk）等の着脱自在な様々な形態の外部記録媒体を利用する記憶装置であってもよい。あるいは、半導体メモリなどであってもよい。
【００１５】
音源８は複数のチャンネルで楽音信号の同時発生が可能であり、通信バス１Ｄを経由して与えられるユーザが選択した予め記憶済みの曲データや、ユーザによる演奏操作子の操作に応じて発生される曲データ（詳しくはイベントデータやコントロールデータなどの演奏情報）等を入力し、これらの曲データに基づいて楽音を発生する。音源８から発生された楽音は、アンプやスピーカなどを含むサウンドシステム８Ａから発音される。この音源８から発生された楽音に対して、効果回路など（図示せず）を用いて所定の効果を付与するようにしてよい。なお、曲データの形式はMIDI形式のようなディジタル符号化されたものであってもよいし、ＰＣＭ、ＤＰＣＭ、ＡＤＰＣＭのような波形サンプルデータ方式からなるものであってもよい。また、この音源８とサウンドシステム８Ａの構成には、従来のいかなる構成を用いてもよい。例えば、音源８はＦＭ、ＰＣＭ、物理モデル、フォルマント合成等の各種楽音合成方式のいずれを採用してもよく、専用のハードウェアで構成してもよいし、ＣＰＵ１によるソフトウェア処理で構成してもよい。
【００１６】
なお、上述した楽音再生装置において、入力操作部５やディスプレイ６Ａあるいは音源８などを１つの装置本体に内蔵したものに限らず、それぞれが別々に構成され、MIDIインタフェースや各種ネットワーク等の通信インタフェースを用いて各装置を接続するように構成されたものであってもよいことは言うまでもない。さらに、本発明に係る楽音再生装置及びプログラムを適用する装置は電子楽器や自動演奏装置の形態に限らず、パーソナルコンピュータ、携帯電話等の携帯型通信端末、あるいはカラオケ装置やゲーム装置など、どのような形態の装置・機器に適用してもよい。携帯型通信端末に適用した場合、端末のみで所定の機能が完結している場合に限らず、機能の一部をサーバ側に持たせ、端末とサーバとからなるシステム全体として所定の機能を実現するようにしてもよい。
【００１７】
次に、ユーザによる曲選択に応じて、該選択された曲に固有の情報をディスプレイ６Ａに表示する「選択曲の表示処理」について、図２を用いて説明する。図２は、「選択曲の表示処理」の一実施例を示すフローチャートである。当該処理は、図１に示したＣＰＵ１において実行される処理である。
【００１８】
ステップＳ１は、本装置を使用（操作）しているユーザの年齢層の自動認識を行う。ここで、ユーザの年齢層を自動認識する際には、ユーザの年齢層だけでなく個々のユーザを特定することができる程度まで自動認識を行うようにしてあってもよいし、個々のユーザを特定するまでには至らない程度であるが、少なくともユーザの年齢層を特定することができる程度まで自動認識を行うようにしてあってもよい。
【００１９】
ここで、上記ユーザの年齢層を自動認識する処理について、簡単にいくつか例を示す。まず、ユーザの（少なくとも年齢層も含んだ）個人を特定することができる程度まで自動認識を行う方法としては、以下に示すような例が挙げられる。
（１−１）ユーザが常日頃利用しているパーソナルコンピュータ（外部機器４Ａに相当する）を当該楽音再生装置に接続し、該接続されたパーソナルコンピュータ内に登録されているユーザ個人に関する個人情報（少なくとも年齢を推定できる情報、例えば生年月日などを含む）を読み取ることで、ユーザ個人（年齢層も含む）を特定する。
（１−２）ユーザが常日頃利用している携帯電話やＰＤＡ（外部機器４Ａに相当する）を当該楽音再生装置に接続し、該接続された携帯電話やＰＤＡ内に登録されているユーザ個人に関する個人情報（少なくとも年齢を推定できる情報を含む）を読み取ることで、ユーザ個人（年齢層も含む）を特定する。
すなわち、これらの方法の場合には、楽音再生装置に接続された外部機器内に記録されている個人情報（少なくとも年齢を推定できる情報を含む）を取得し、該個人情報に含まれるユーザの年齢に基づいてユーザの年齢層を特定する。勿論、上記した以外のどのような方法であってもよいことは言うまでもない。
【００２０】
他方、ユーザ個人までは特定することができないが、少なくともユーザの年齢層を特定することができる程度まで自動認識を行う方法としては、以下に示すような例が挙げられる。
（２−１）ユーザの音声を、当該楽音再生装置が有するマイク端子に接続されているマイク（外部機器４Ａに相当する）から入力し、該マイクから入力された音声を解析して、マイクから入力された音声（音声情報）と予め記憶されている年齢層毎の音声が有する一般的な特徴とを比較することにより、音声を入力したユーザの年齢を特定する。
（２−２）当該楽音再生装置に接続されたスキャナ（外部機器４Ａに相当する）などを利用して、ユーザの顔写真を当該楽音再生装置に取り込み、該取り込んだ顔写真を解析して、取り込んだ顔写真（顔写真情報）の特徴と予め記憶されている年齢層毎の人の顔が有する一般的な特徴とを比較することにより、顔写真を取り込んだユーザの年齢層を特定する。
すなわち、これらの方法の場合には、楽音再生装置に接続された外部機器を利用してユーザの特徴を入力し、該入力されたユーザの特徴に基づきユーザの年齢層を特定する。
【００２１】
さらに、ユーザ個人までは特定することができないが、少なくともユーザの年齢層を特定することができる程度まで自動認識を行う方法として、
（２−３）ユーザが楽音再生装置に記憶されているうちの、どの内蔵曲／内蔵スタイルをよく選ぶかの傾向を記憶しておき、該記憶しておいたユーザの選択傾向（ユーザ嗜好情報）を解析して、ユーザの年齢層を特定する。
（２−４）楽音再生装置がミュージックファインダー機能、つまりユーザが任意に入力した曲名などの検索情報に従って、予め内蔵されている曲のスタイルなどを自動的に検索して呼び出す機能を搭載した装置である場合に、ユーザにより入力された検索情報の傾向を記憶しておき、該記憶しておいたユーザにより入力された検索情報の傾向（ユーザ嗜好情報）を解析して、ユーザの年齢層を特定する。
（２−５）楽音再生装置がインターネットに直接接続できる装置である場合に、ユーザがインターネットを介して購入した曲／スタイル／楽譜などのコンテンツ、閲覧したページの傾向を記憶しておき、該記憶しておいたユーザの傾向（ユーザ嗜好情報）からユーザの年齢層を特定する。
すなわち、これらの方法の場合には、楽音再生装置の利用に応じたユーザの嗜好を抽出し、該抽出したユーザの嗜好（ユーザ嗜好情報）を解析することに基づき、ユーザの年齢層を特定する。勿論、上記した以外のどのような方法であってもよいことは言うまでもない。
【００２２】
図２に示したフローチャートの説明に戻って、ステップＳ２は、上記ステップＳ１において自動認識したユーザの年齢層に応じて、「年齢層別表示情報テーブル」（後述する図３参照）に基づき、ディスプレイ６Ａのコントラストやブライトネスあるいはフォントなどの表示態様を制御するための「表示制御情報」を取得する。ステップＳ３は、上記ステップＳ１において自動認識したユーザの年齢層に応じて、「年齢層別表示情報テーブル」（後述する図３参照）に基づき、ディスプレイ６Ａに表示するデータ対象（表示内容）として、曲データに固有の情報の種類（表示種類）を決めるための「表示内容情報」を取得する。上記取得する「表示制御情報」及び「表示内容情報」は、後述するように、予め外部記憶手段などにプリセット記憶されている「年齢層別表示情報テーブル」において、年齢層毎に定義されているデータである。
【００２３】
ここで、上記「年齢層別表示情報テーブル」について、図３を用いて説明する。図３は、年齢層別表示情報テーブルの一実施例を示す概念図である。
【００２４】
この図３に示すように、「年齢層別表示情報テーブル」（表示制御情報）は、「年齢層」毎に「表示内容情報」と「表示制御情報」とを定義したデータである。「年齢層」は、予め所定の範囲で区切られた年齢の範囲である。ここでは、「３９歳以下」、「４０〜４９歳」、「５０〜５９歳」、「６０〜６９歳」、「７０歳以上」の５つの年齢層に分けた例を示している。「表示内容情報」は、ディスプレイ６Ａに表示するデータ対象（表示内容）として、曲データに固有の情報の種類（表示種類）を決めるためのものであり、この実施例では、「表示数」と「表示種類」とに分けられる。「表示数」はディスプレイ６Ａに一度に表示する「表示種類」の数を表すものであり、「表示種類」はディスプレイ６Ａに表示する対象としての曲データに固有の情報の種類である。曲データに固有の情報の種類として、ここでは「曲名」、「拍子」、「（曲）調」、「テンポ」、「再生残り時間」、「歌詞（又は楽譜）」を例に示した。この「表示種類」に定義されている曲データに固有の情報の種類には、表示することが確定されているデータ（確定データ）と、表示することが確定されていないデータ（不確定データ）とがある。前記不確定データは予め決められた複数の曲データに固有の情報の種類を含み、この中からいずれか１つを選択的に表示する対象のデータ（確定データ）とすることができるようになっている（図３ではこうした不確定データを「ｏｒ」で結んでいる）。例えば、図３に示す「６０〜６９歳」の年齢層においては、「曲名」と「拍子」が「確定データ」であることから、「曲名」と「拍子」については必ず表示されることになる。一方、「テンポｏｒ再生残り時間ｏｒ歌詞」は「不確定データ」であることから、上記したうちのいずれか１つのみが選択的に表示されることになる。このように、「表示内容情報」は、曲データに固有の情報のうちの「どの情報をディスプレイに表示させる表示対象とするか」を決めるデータであると言える。
【００２５】
他方、「表示制御情報」は、ディスプレイ６Ａのコントラストやブライトネスあるいはフォントなどの表示態様を制御するためのデータであり、この実施例では「コントラスト」と「ブライトネス」を例に示している。各年齢層毎に定義される「コントラスト」や「ブライトネス」は、それぞれにおける所定の基準値（本楽音再生装置に予め規定されているあるいは歌詩などの表示データに規定されているデフォルト設定値など）からの増減量を示すものである。例えば、図３に示す「５０〜５９歳」の年齢層においては、「コントラスト」については基準値よりも「＋１０」、「ブライトネス」については基準値よりも「＋１３」、それぞれを増すようにディスプレイ６Ａを調整する。このように、「表示制御情報」は、表示対象とされた曲データに固有の情報を、「どのような表示態様でディスプレイに表示させるか」を決めるデータであると言える。
【００２６】
なお、上記した「年齢層別表示情報テーブル」における「表示内容情報」や「表示制御情報」は、図３に示した実施例のものに限らない。例えば、「表示内容情報」としては、作曲者、作詞者、編曲者などの曲データに固有の他の情報であればどのようなものであってもよい。一方、「表示制御情報」としては、ディスプレイ表示が見やすくなるように「コントラスト」や「ブライトネス」を調整する例を示したがこれに限らず、ディスプレイ表示の際に用いる配色や表示レイアウトあるいはフォントなどを調整することができるようにしてあってもよい。
なお、上記した「年齢層別表示情報テーブル」における「表示内容情報」や「表示制御情報」を、ユーザが適宜に決めることができるようにしてあってよい。例えば、一度に表示する表示内容の種類を増減することができたり（この場合、増減に応じて表示態様（フォントの大きさや表示レイアウトなど）を自動的に変化させるようにしてもよい）、ユーザの年齢層をより細かく分けることができるようにしてあってもよい。
なお、上述した実施例では、「不確定データ」に定義された複数の表示種類のうち、選択的にいずれか１つを「確定データ」とすることができるようにしたが、「不確定データ」から「確定データ」にできる表示種類は１種類でなくてもよく、複数であってよい。
【００２７】
図２に示したフローチャートの説明に戻って、ステップＳ４は、ユーザによる曲選択の「終了操作」を検出したか否かを判定する。ユーザによる曲選択の「終了操作」を検出したと判定した場合には（ステップＳ４のＹＥＳ）、当該処理を終了する。一方、ユーザによる曲選択の「終了操作」を検出していないと判定した場合には（ステップＳ４のＮＯ）、ユーザによる曲選択スイッチ等の操作に応じてディスプレイ６Ａに表示された曲リストからユーザ所望の曲データを選択する、「選曲操作」を検出したか否かを判定する（ステップＳ５）。ユーザによる「選曲操作」を検出していないと判定した場合には（ステップＳ５のＮＯ）、ステップＳ４の処理に戻って、当該処理の進行を待機させる。一方、ユーザによる「選曲操作」を検出したと判定した場合には（ステップＳ５のＹＥＳ）、選択された曲データを読み込む（ステップＳ６）。すなわち、ＲＯＭ２や外部記憶手段７に予め用意されている、曲データを多数記憶している曲データベース（曲メモリ）にアクセスし、該曲データベースから前記選択した曲データを読み出して、読み出した曲データをＲＡＭ３に一時記憶する。
【００２８】
ステップＳ７は、上記ステップＳ３で取得した「表示内容情報」における表示種類が、全て確定データ、つまりディスプレイ６Ａに表示することが予め確定済みの表示種類のみから定義されているか否かを判定する。表示種類が全て確定データで定義されていると判定した場合には（ステップＳ７のＹＥＳ）、ステップＳ１４の処理へジャンプする。表示種類が全て確定データで定義されていないと判定した場合、つまり確定データの他に、ディスプレイ６Ａに表示することが予め確定されておらず、本装置の使用状況に応じてディスプレイ６Ａに表示されることが決められる表示種類（不確定データ）が定義されていると判定した場合には（ステップＳ７のＮＯ）、本装置にマイク（外部機器４Ａ）が接続されているか否か（本装置におけるユーザの利用状況）を検出する（ステップＳ８）。本装置にマイクが接続されていると検出した場合には（ステップＳ８のＹＥＳ）、「表示内容情報」における不確定データ「歌詞」を確定データに変更する。ステップＳ９は、「表示内容情報」における確定データとして「テンポ」が定義されているか否かを判定する。
【００２９】
ステップＳ１０は、録音ボタンがオン操作されているか否か（本装置におけるユーザの利用状況）を検出する。上記ステップＳ９において確定データとして「テンポ」が定義されていると判定した場合（ステップＳ９のＹＥＳ）、又は上記ステップＳ１０において録音ボタンがオン操作されていると検出した場合には（ステップＳ１０のＹＥＳ）、「表示内容情報」における不確定データ「再生残り時間」を確定データに変更する（ステップＳ１３）。上記ステップＳ９において確定データとして「テンポ」が定義されていないと判定され（ステップＳ９のＮＯ）、さらに上記ステップＳ１０において録音ボタンがオン操作されていないことを検出した場合には（ステップＳ１０のＮＯ）、「表示内容情報」における不確定データ「テンポ」を確定データに変更する（ステップＳ１１）。
【００３０】
このようにして、「不確定データ」の中から１つ（複数であってもよい）を「確定データ」として選択する際には、当該楽音再生装置の利用状況に応じて、予め対応付けられている「表示種類」を選択する。ここでは、「マイク」が接続されている場合には、当該装置を利用しているユーザがマイクを用いて歌を歌うものとして、曲の再生にあわせて歌を歌いやすくするために「歌詞」を選択するし、「録音ボタン」がオン操作されている場合には、当該装置を利用しているユーザが曲を録音するものとして、曲を録音するのに必要な録音機器の録音容量の残りとを比較しやすくするために「再生残り時間」を選択する。勿論、「不確定データ」から「確定データ」を選択するためのデータ絞込み方法は」上記したステップ８〜ステップＳ１４の処理に限らないことは言うまでもない。
【００３１】
ステップＳ１４は、前記取得したユーザの年齢層に応じた「表示制御情報」により、ディスプレイ６Ａに曲データの固有情報（ただし確定データ）を表示する際の表示態様を決定する。表示態様としては、コントラストやブライトネスなどのハードウェア制御にかかるものと、表示レイアウトやフォントなどのソフトウェア制御にかかるものがある。ステップＳ１５は、前記取得したユーザの年齢層に応じた「表示内容情報」に基づき該当する表示種類（つまり、曲データの固有情報の一部又は全て）を取得し、再生開始にあわせて表示すべき範囲のみを、前記決定した表示態様に従って表示する（ステップＳ１５）。
【００３２】
ステップＳ１６は、ユーザによる再生スイッチ操作に応じた「再生開始」操作を検出したか否かを判定する。「再生開始」操作を検出していないと判定した場合には（ステップＳ１６のＮＯ）、ステップＳ４の処理に戻って、上記ステップＳ４〜ステップＳ１６までの処理を繰り返す。「再生開始」操作を検出したと判定した場合には（ステップＳ１６のＹＥＳ）、現在の曲の再生位置に応じて、当該再生位置に関連する情報を表示するよう、ディスプレイ６Ａの表示を更新する（ステップＳ１７）。ステップＳ１８は、ユーザによる再生スイッチ操作に応じた「再生終了」操作を検出したか否かを判定する。「再生終了」操作を検出していないと判定した場合には（ステップＳ１８のＮＯ）、ステップＳ１６の処理に戻って、上記ステップＳ１６〜ステップＳ１８までの処理を繰り返す。一方、「再生終了」操作を検出したと判定した場合には（ステップＳ１６のＹＥＳ）、ステップＳ４の処理に戻って、上記ステップＳ４〜ステップＳ１８までの処理を繰り返す。
【００３３】
以上のようにして、当該楽音再生装置を使用中であるユーザの年齢を自動的に認識し、予めプリセットされている年齢層毎の「表示内容情報」や「表示制御情報」に従って、ディスプレイ表示対象とする曲データに固有の情報の種類や、前記曲データに固有の情報をディスプレイに表示する際の表示態様を、自動認識されたユーザの年齢層にあわせて自動的に決定して表示制御するようにしたことから、ユーザ自身が年齢の入力操作を行わなくても、ユーザの年齢にあった見やすい表示を提示することが簡単にできるようになる。すなわち、曲を再生するあるいは外部機器を接続するなどの、当該楽音再生装置での通常の使用範囲における操作をユーザが常日頃行っているだけでよく、従来のように、ユーザがわざわざ年齢入力画面などをディスプレイ上に表示させて、これを用いて自らの年齢や嗜好などを直接入力するといった特別な操作を行わなくてもよい。
【００３４】
なお、ユーザによる曲選択は曲リストに表示された曲の中から選択する方法に限らず、ユーザが曲名を直接入力するなど、他のどのような選択方法であってもよい。
なお、上述した実施例では、曲データの再生中に当該曲の再生位置の変化に伴って、ディスプレイに表示する曲情報の表示が更新されるようにしているがこれに限らず（図２のステップＳ１７参照）、表示している情報の種類によっては曲の再生に応じて更新しなくてよいことは言うまでもない。また、曲の再生に関わらず、ユーザによる再生開始位置の変更操作により、当該再生開始位置に対応する曲情報を表示するように表示を更新するようにしてあってもよい。
【００３５】
なお、ディスプレイ６Ａに表示することが可能な曲データに固有の情報（曲名、拍子、テンポ、曲の再生時間長、楽譜、歌詞などの曲情報）は、演奏情報などとともに曲データ内に定義されていてもよいし、曲データとは別の記憶箇所・記憶装置に記憶されていてもよい。また、ディスプレイ６Ａに表示することが可能な情報は、上述したような曲情報に限らないことは言うまでもない。曲情報以外であってもよい。
なお、再生する楽音の元となる曲データはＭＩＤＩ形式やオーディオ形式のデータに限らず、どのような形式のデータであってもよい。また、曲データはＲＯＭ２や外部記憶手段７に用意された曲データベースに記憶されるものに限らず、装置外部に用意された曲データベース内に記憶された曲データであってもよい。
【図面の簡単な説明】
【００３６】
【図１】この発明に係る楽音再生装置の全体構成の一実施例を示したハード構成ブロック図である。
【図２】選択曲の表示処理の一実施例を示すフローチャートである。
【図３】年齢層別表示情報テーブルの一実施例を示す概念図である。
【符号の説明】
【００３７】
１…ＣＰＵ、２…ＲＯＭ、３…ＲＡＭ、４…外部インタフェース、４Ａ…外部機器、５…入力操作部、６…表示部、６Ａ…ディスプレイ、７…外部記憶装置、８…音源、８Ａ…サウンドシステム、１Ｄ…通信バス
【図１】
2008089750.tif 000003
【図２】
2008089750.tif 000004
【図３】
2008089750.tif 000005